(57)【要約】【課題】本発明は、パケット化されたデータをワイヤレスセルラー電気通信システムの無線ネットワークコントローラからワイヤレスセルラー電気通信システムの基地局に提供する方法を提供する。【解決手段】この方法は、データパケットを無線ネットワークコントローラから基地局に転送すること、および、データパケットが基地局からユーザの装置に伝送されることができない場合に、基地局によって無線ネットワークコントローラからのデータパケットの転送再開を要求することを含む。【選択図】      図１
2005130482.tif 000002
【特許請求の範囲】
【請求項１】
パケット化されたデータをワイヤレスセルラー電気通信システムの無線ネットワークコントローラからワイヤレスセルラー電気通信システムの基地局に提供する方法であって、
データパケットを無線ネットワークコントローラから基地局に転送すること、および
データパケットが基地局からユーザの装置に伝送されることができない場合に、基地局によって無線ネットワークコントローラからのデータパケットの転送再開を要求することを含む方法。
【請求項２】
実際の電波状態ではデータパケットのパケットサイズが大きすぎるために、データパケットが基地局からユーザの装置に伝送されることができず、無線ネットワークコントローラによってパケットサイズを小さくし、小さくしたパケットサイズのデータパケットを無線ネットワークコントローラから基地局に転送することをさらに含む請求項１に記載の方法。
【請求項３】
基地局のハンドオーバのために、データパケットが基地局からユーザの装置に伝送されことができず、無線ネットワークコントローラからハンドオーバの目標の基地局への転送の再開を行うことをさらに含む請求項１に記載の方法。
【請求項４】
無線ネットワークコントローラのハンドオーバのために、データパケットが基地局からユーザの装置に伝送されることができず、データパケットを無線ネットワークコントローラから目標の無線ネットワークコントローラに転送し、目標の無線ネットワークコントローラからハンドオーバの目標の基地局へのデータパケットの転送の再開を行うことをさらに含む請求項１に記載の方法。
【請求項５】
データパケットを無線ネットワークコントローラバッファにバッファリングすること、
基地局によって無線ネットワークコントローラから受信されたデータパケットを基地局のバッファにバッファリングすること、および
基地局バッファからユーザの装置に伝送されたデータパケットを無線ネットワークコントローラバッファおよび基地局バッファから除去するために、無線ネットワークコントローラバッファおよび基地局バッファの同期点の位置を更新することをさらに含む請求項１に記載の方法。
【請求項６】
同期点の位置の更新は、データパケットが基地局からユーザの装置に伝送されることができない場合に行なわれる請求項５に記載の方法。
【請求項７】
データパケットが基地局からユーザの装置に伝送されることができない場合に、無線ネットワークコントローラからのデータパケットの転送の再開を要求する命令を含む、ワイヤレスセルラー電気通信システムの基地局を制御するためのコンピュータプログラム製品。
【請求項８】
データパケットをワイヤレスセルラー電気通信システムの基地局に転送する命令、およびデータパケットが基地局からユーザの装置に伝送されることができないことを示す対応する要求が基地局から受信された場合に、データパケットの転送を繰り返す命令を含む、無線ネットワークコントローラのためのコンピュータプログラム製品。
【請求項９】
データパケットが基地局（１０２）からユーザの装置（１０６）に伝送されることができない場合に、ワイヤレスセルラー電気通信システムの無線ネットワークコントローラ（１００）からのデータパケットの転送の再開を要求する手段（１１４、１１６、１１８、１２６）を含むワイヤレスセルラー電気通信システムのための基地局。
【請求項１０】
以前に転送されたデータパケットが基地局からユーザの装置（１０６）に伝送されることができない場合に、基地局（１０２）へのデータパケット（１２２）の転送を繰り返す手段（１０８、１１０、１１２、１２８）を含むワイヤレスセルラー電気通信システムのための無線ネットワークコントローラ。
【発明の詳細な説明】
【技術分野】
【０００１】
本発明は、ワイヤレス電気通信システムの分野に関し、特に、こうしたシステムで無線ネットワークコントローラおよび基地局の動作が制限されないワイヤレス電気通信システムの分野に関する。
【背景技術】
【０００２】
ＵＴＲΑＮ（ｕｎｉｖｅｒｓａｌ  ｔｅｒｒｅｓｔｒｉａｌ  ｒａｄｉｏ  ａｃｃｅｓｓ  ｎｅｔｗｏｒｋ）のための基本アーキテクチャは、コアネットワークに接続されたいくつかの無線ネットワークコントローラ（ＲＮＣ）で構成される。ＲＮＣはＩｕｒインターフェースを介してＲＮＣどうしで接続される。各ＲＮＣは、ノード（Ｎｏｄｅ）  Ｂとも呼ばれる複数の基地局をサポートする。Ｉｕｂインターフェースは、無線ネットワークコントローラとそれが結合された基地局との間の通信に使用される。ＵＴＲΑＮは、広帯域符号分割多元接続（Ｗ−ＣＤＭＡ）のサポートを提供する。
【０００３】
高速ダウンリンクパケットアクセス（ＨＳＤＰＡ）は、こうした第３世代ワイヤレス通信システムの重要な特徴の１つと考えられている。これはダウンリンクでの高速データ伝送を提供してマルチメディアサービスをサポートするものである。（参照、“Ｔｈｅ  ｈｉｇｈ  ｓｐｅｅｄ  ｐａｃｋｅｔ  ｄａｔａ  ｅｖｏｌｕｔｉｏｎ  ｏｆ  ＷＣＤＭＡ”，Ｐｅｒｓｏｎａｌ，Ｉｎｄｏｏｒ  ａｎｄ  Ｍｏｂｉｌｅ  Ｒａｄｉｏ  Ｃｏｍｍｕｎｉｃａｔｉｏｎｓ，２００１  １２ｔｈ  ＩＥＥＥ  Ｉｎｔｅｒｎａｔｉｏｎａｌ  Ｓｙｍｐｏｓｉｕｍ  ｏｎ  Ｐａｒｋｖａｌｌ，Ｓ．；Ｄａｈｌｍａｎ，Ｅ．；Ｆｒｅｎｇｅｒ，Ｐ．；Ｂｅｍｉｎｇ，Ｐ．；Ｐｅｒｓｓａｎ，Ｍ．Ｐａｇｅｓ：Ｇ−２７  −Ｇ−３１  ｖｏｌ．２／“Ｄｅｓｉｇｎ  ａｎｄ  ｐｅｒｆｏｒｍａｎｃｅ  ｏｆ  ｄｏｗｎ  ｌｉｎｋ  ｓｈａｒｅｄ  ｃｏｎｔｒｏｌ  ｃｈａｎｎｅｌ  ｆｏｒ  ＨＳＤＰＡ”，Ｐｅｒｓｏｎａｌ，Ｉｎｄｏｏｒ  ａｎｄ  Ｍｏｂｉｌｅ  Ｒａｄｉｏ  Ｃｏｍｍｕｎｉｃａｔｉｏｎｓ，２００２．Ｔｈｅ  １３ｔｈ  ＩＥＥＥ  Ｉｎｔｅｒｎａｔｉｏｎａｌ  Ｓｙｍｐｏｓｉｕｍ  ｏｎ  Ｄａｓ，Ａ．；Ｋｈａｎ，Ｆ．；Ｓａｍｐａｔｈ，Ａ．；Ｈｓｕａｎ−Ｊｕｎｇ  Ｓｕ  Ｐａｇｅｓ：１０８８−１０９１  ｖｏｌ．３／“Ｃａｐａｃｉｔｙ  ｅｎｈａｎｃｅｍｅｎｔ  ｆｏｒ  ＨＳＤＰＡ  ｉｎ  Ｗ  ＣＤＭＡ  ｓｙｓｔｅｍ”，Ｖｅｈｉｃｕｌａｒ  Ｔｅｃｈｎｏｌｏｇｙ  Ｃｏｎｆｅｒｅｎｃｅ，２００２．Ｐｒｏｃｅｅｄｉｎｇｓ．ＶＴＣ  ２００２−Ｆａｌｌ．２００２  ＩＥＥＥ  ５６ｔｈ  Ｈｏｒｎｇ，Ｊ．Ｈ．；Ｖａｎｎｕｃｃｉ，Ｇ．；Ｊｉｎｙｕ．Ｚｈａｎｇ  Ｐａｇｅｓ：６６１−６６５  ｖｏｌ．２／“Ｄｅｓｉｇｎ  ｏｆ  ｐａｃｋｅｔ  ｔｒａｎｓｍｉｓｓｉｏｎ  ｓｃｈｅｄｕｌｅｒ  ｆｏｒ  ｈｉｇｈ  ｓｐｅｅｄ  ｄｏｗｎｌｉｎｋ  ｐａｃｋｅｔ  ａｃｃｅｓｓ  ｓｙｓｔｅｍｓ”，Ｖｅｈｉｃｕｌａｒ  Ｔｅｃｈｎｏｌｏｇｙ  Ｃｏｎｆｅｒｅｎｃｅ，２００２．ＶＴＣ  Ｓｐｒｉｎｇ  ２００２．ＩＥＥＥ  ５５ｔｈ  Ｗｈａ  Ｓｏｏｋ  Ｊｅｏｎ；Ｄｏｎｇ  Ｇｅｕｎ  Ｊｅｏｎｇ；Ｂｏｎｇｈｏｅ  Ｋｉｍ  Ｐａｇｅ（ｓ）：１１２５−１１２９  ｖｏｌ．３）
【０００４】
いくつかの並列共用チャネルおよび高レベルの変調と符号化を適用することによって、ノードＢがデータを高速のデータ転送速度でＵＥに転送することができるようになる。自動再送要求（ＡＲＱ）プロセスを実行し、ＨＳＤＰＡが可能なシステムで変調および符号化機構（ＭＣＳ）に関する決定を行うには、各ＵＥがチャネル品質を評価し、評価した搬送波品質表示をそのノードＢに報告することが求められる。これに基づきノードＢは、存在する様々なユーザにチャネルを割り当てを実行する（参照、“Ａ  ｒａｄｉｏ  ａｗａｒｅ  ｒａｎｄｏｍ  ｉｔｅｒａｔｉｖｅ  ｓｃｈｅｄｕｌｉｎｇ  ｔｅｃｈｎｉｑｕｅ  ｆｏｒ  ｈｉｇｈ  ｓｐｅｅｄ  ｄｏｗｎｌｉｎｋ  ｐａｃｋｅｔ  ａｃｃｅｓｓ”，Ｖｅｈｉｃｕｌａｒ  Ｔｅｃｈｎｏｌｏｇｙ  Ｃｏｎｆｅｒｅｎｃｅ；２００２．Ｐｒｏｃｅｅｄｉｎｇｓ．ＶＴＣ  ２００２−Ｆａｌｌ．２００２  ＩＥＥＥ  ５６ｔｈ  Ａｂｅｄｉ，Ｓ．；Ｖａｄｇａｍａ，Ｓ．Ｐａｇｅｓ：２３２２−２３２６  ｖｏｌ．４）
【非特許文献１】“Ｔｈｅ  ｈｉｇｈ  ｓｐｅｅｄ  ｐａｃｋｅｔ  ｄａｔａ  ｅｖｏｌｕｔｉｏｎ  ｏｆ  ＷＣＤＭＡ”，Ｐｅｒｓｏｎａｌ，Ｉｎｄｏｏｒ  ａｎｄ  Ｍｏｂｉｌｅ  Ｒａｄｉｏ  Ｃｏｍｍｕｎｉｃａｔｉｏｎｓ，２００１  １２ｔｈ  ＩＥＥＥ  Ｉｎｔｅｒｎａｔｉｏｎａｌ  Ｓｙｍｐｏｓｉｕｍ  ｏｎ  Ｐａｒｋｖａｌｌ，Ｓ．；Ｄａｈｌｍａｎ，Ｅ．；Ｆｒｅｎｇｅｒ，Ｐ．；Ｂｅｍｉｎｇ，Ｐ．；Ｐｅｒｓｓａｎ，Ｍ．Ｐａｇｅｓ：Ｇ−２７−Ｇ−３１  ｖｏｌ．２
【非特許文献２】“Ｄｅｓｉｇｎ  ａｎｄ  ｐｅｒｆｏｒｍａｎｃｅ  ｏｆ  ｄｏｗｎ  ｌｉｎｋ  ｓｈａｒｅｄ  ｃｏｎｔｒｏｌ  ｃｈａｎｎｅｌ  ｆｏｒ  ＨＳＤＰＡ”，Ｐｅｒｓｏｎａｌ，Ｉｎｄｏｏｒ  ａｎｄ  Ｍｏｂｉｌｅ  Ｒａｄｉｏ  Ｃｏｍｍｕｎｉｃａｔｉｏｎｓ，２００２．Ｔｈｅ  １３ｔｈ  ＩＥＥＥ  Ｉｎｔｅｒｎａｔｉｏｎａｌ  Ｓｙｍｐｏｓｉｕｍ  ｏｎ  Ｄａｓ，Ａ．；Ｋｈａｎ，Ｆ．；Ｓａｍｐａｔｈ，Ａ．；Ｈｓｕａｎ−Ｊｕｎｇ  Ｓｕ  Ｐａｇｅｓ：１０８８−１０９１  ｖｏｌ．３
【非特許文献３】“Ｃａｐａｃｉｔｙ  ｅｎｈａｎｃｅｍｅｎｔ  ｆｏｒ  ＨＳＤＰＡ  ｉｎ  Ｗ  ＣＤＭＡ  ｓｙｓｔｅｍ”，Ｖｅｈｉｃｕｌａｒ  Ｔｅｃｈｎｏｌｏｇｙ  Ｃｏｎｆｅｒｅｎｃｅ，２００２．Ｐｒｏｃｅｅｄｉｎｇｓ．ＶＴＣ  ２００２−Ｆａ１１．２００２  ＩＥＥＥ  ５６ｔｈ  Ｈｏｒｎｇ，Ｊ．Ｈ．；Ｖａｎｎｕｃｃｉ，Ｇ．；Ｊｉｎｙｕ．Ｚｈａｎｇ  Ｐａｇｅｓ：６６１−６６５  ｖｏｌ．２
【非特許文献４】“Ｄｅｓｉｇｎ  ｏｆ  ｐａｃｋｅｔ  ｔｒａｎｓｍｉｓｓｉｏｎ  ｓｃｈｅｄｕｌｅｒ  ｆｏｒ  ｈｉｇｈ  ｓｐｅｅｄ  ｄｏｗｎｌｉｎｋ  ｐａｃｋｅｔ  ａｃｃｅｓｓ  ｓｙｓｔｅｍｓ”，Ｖｅｈｉｃｕｌａｒ  Ｔｅｃｈｎｏｌｏｇｙ  Ｃｏｎｆｅｒｅｎｃｅ，２００２．ＶＴＣ  Ｓｐｒｉｎｇ  ２００２．ＩＥＥＥ  ５５ｔｈ  Ｗｈａ  Ｓｏｏｋ  Ｊｅｏｎ；Ｄｏｎｇ  Ｇｅｕｎ  Ｊｅｏｎｇ；Ｂｏｎｇｈｏｅ  Ｋｉｍ  Ｐａｇｅ（ｓ）：１１２５−１１２９  ｖｏｌ．３
【非特許文献５】“Ａ  ｒａｄｉｏ  ａｗａｒｅ  ｒａｎｄｏｍ  ｉｔｅｒａｔｉｖｅ  ｓｃｈｅｄｕｌｉｎｇ  ｔｅｃｈｎｉｑｕｅ  ｆｏｒ  ｈｉｇｈ  ｓｐｅｅｄ  ｄｏｗｎｌｉｎｋ  ｐａｃｋｅｔ  ａｃｃｅｓｓ”，Ｖｅｈｉｃｕｌａｒ  Ｔｅｃｈｎｏｌｏｇｙ  Ｃｏｎｆｅｒｅｎｃｅ；２００２．Ｐｒｏｃｅｅｄｉｎｇｓ．ＶＴＣ  ２００２−Ｆａｌｌ．２００２  ＩＥＥＥ  ５６ｔｈ  Ａｂｅｄｉ，Ｓ．；Ｖａｄｇａｍａ，Ｓ．Ｐａｇｅｓ：２３２２−２３２６  ｖｏｌ．４
【発明の開示】
【発明が解決しようとする課題】
【０００５】
本発明は、パケット化されたデータをワイヤレスセルラー電気通信システムの無線ネットワークコントローラから基地局に提供する方法を提供する。
【課題を解決するための手段】
【０００６】
先ず、ユーザの装置への伝送のために、データパケットが無線ネットワークコントローラから基地局に提供される。データパケットを基地局からユーザの装置に伝送することができない場合、基地局はデータパケットの転送の再開を要求する。これは、ＨＳＤＰＡデータパケットの無線ネットワークコントローラから基地局への転送を制御するのに特に有利である。
【０００７】
本発明の一態様によれば、実際の電波状態のためにデータパケットを基地局からユーザの装置に伝送することができない場合、基地局によってデータパケットの転送再開が要求される。
【０００８】
たとえば、基地局によって無線ネットワークコントローラから受信された、ユーザの装置に伝送するための元のデータパケットが、比較的大きいパケットまたはセグメントサイズを有することがある。電波状態が悪い場合、基地局は、大きいセグメントサイズのデータパケットが当然正常に伝送されることを見込んで伝送することができなくなる。伝送することができないデータパケットで基地局のバッファが「詰まる」のを回避するため、基地局は、小さくしたセグメントサイズを有するデータパケットの転送を再開することを要求する。
【０００９】
本発明の他の態様によれば、基地局のハンドオーバが発生した場合に、基地局によってデータパケットの転送再開が要求される。この場合、ユーザの装置は元の基地局のカバレッジ外に移動しているため、元の基地局は、データパケットをユーザの装置に伝送することができない。この場合、無線ネットワークコントローラは、元の基地局のデータパケットの転送再開についての要求に応答して、ユーザの装置が移動した目標の基地局にデータパケットを転送する。それによって、シームレスなＨＳＤＰΑハンドオーバが可能になる。
【００１０】
本発明の他の態様によれば、無線ネットワークコントローラのハンドオーバが発生する、すなわちユーザの装置が、元の無線ネットワークコントローラに結合されていた元の基地局のカバレッジの外に、他の無線ネットワークコントローラ、すなわち目標のネットワークコントローラに結合された目標の基地局に移動する。この場合、元の無線ネットワークコントローラは、元の基地局から受信したデータパケットの転送再開の要求に応答して、データパケットを目標の基地局に結合された目標の無線ネットワークコントローラに転送する。それによって、目標の無線ネットワークコントローラは、データパケットを目標の基地局に転送することができるようになり、その目標の基地局からユーザの装置にデータパケットが伝送される。それによって、ユーザの装置が無線ネットワークコントローラの間で移動しても、ＨＳＤＰＡハンドオーバが可能になる。
【００１１】
本発明の他の好ましい実施形態によれば、データパケットは、無線ネットワークコントローラと基地局の両方でバッファされる。無線ネットワークコントローラのバッファおよび基地局のバッファは、同期点で同期化される。ユーザの装置にすでに伝送されたデータパケットをバッファから除去するために、同期点の位置がときどき更新される。同期点の位置の更新およびデータパケットの転送再開の要求は、同期点を転送再開が要求された位置からデータパケットの位置に移動させることによって、実質的に同じ時点で行われることができる。
【００１２】
本発明の実施形態を以下で図面を参照してより詳細に説明する。
【発明を実施するための最良の形態】
【００１３】
図１は、本発明の方法の実施形態を実施する流れ図を示す。ステップ１００で、ワイヤレスセルラー電気通信システムの基地局が、基地局が結合された無線ネットワークコントローラからデータパケットを受信する。典型的には、無線ネットワークコントローラは、ユーザの装置に伝送すべきマルチメディアデータなどユーザデータを受信している。無線ネットワークコントローラは、ユーザデータの分割を実行してデータパケットを提供し、次いでそのデータパケットが基地局に転送される。
【００１４】
ステップ１０２で、基地局は、基地局が無線ネットワークコントローラから受信したデータパケットの伝送が失敗したか、または不可能であるかを決定する。これは、（ｉ）基地局とユーザの装置の間で経験された電波状態が悪化して、無線ネットワークコントローラから受信したパケットサイズを有するデータパケットを、当然正常に伝送されることを見込んで伝送することができない、または（ｉｉ）ユーザの装置が基地局のカバレッジ外に移動した（この状況も「ハンドオーバ」と呼ばれる）など様々な理由による可能性がある。
【００１５】
ステップ１０４で、基地局は、無線ネットワークコントローラからのデータパケットの転送の再開を要求する。（ｉ）の場合、データパケットサイズの縮小も要求される。（ｉ）の場合のみが、図１の流れ図の以下の説明で考慮されている。
【００１６】
ステップ１０６で、基地局は、小さくしたデータパケットサイズを有するデータパケットを無線ネットワークコントローラから受信する。次いでステップ１０８で、こうしたデータパケットが基地局からユーザの装置に伝送される。
【００１７】
小さくしたデータパケットサイズを有するデータパケットの転送再開を求める基地局の要求により、そうでなければステップ１０２で経験されるデータパケットの伝送阻止が防止されることを留意されたい。これは、ＨＳＤＰＡのような高帯域の応用例およびマルチメディア並びにストリーミングデータを伝送する目的には特に有用である。
【００１８】
図２は、対応するワイヤレスセルラー電気通信システムのブロック図を示す。無線ネットワークコントローラ（ＲＮＣ）１００は、ノードＢ１０２に結合されている。ノードＢは基地局とも呼ばれる。
【００１９】
ノードＢ１０２は、データをユーザの装置（ＵＥ）１０６に伝送するための無線インターフェース１０４を有する。
【００２０】
ＲＮＣ１００は、ノードＢ１０２、および制御プログラム１１２を稼動させるためのプロセッサ１１０に転送すべきデータパケットをバッファリングするためのバッファ１０８を有する。
【００２１】
ノードＢは、ＲＮＣ１００から受信したデータパケットをバッファリングするためのバッファ１１４を有する。さらに、ノードＢ１０２は、制御プログラム１１８を稼動させるためのプロセッサ１１６を有する。
【００２２】
動作の際に、ＲＮＣ１００は、ユーザデータ１２０をコアネットワークから受信する。ユーザデータ１２０は、たとえば、ビデオシーケンスなどマルチメディアデータである。
【００２３】
ユーザデータ１２０は、制御プログラム１１２によって分割されてデータパケットを提供する。こうしたデータパケットは、プロトコルデータユニット（ＰＤＵ）とも呼ばれる。ＰＤＵはバッファ１０８に格納される。ＰＤＵ１２２はこのバッファ１０８からノードＢ１０２に転送され、ノードＢ１０２でバッファ１１４にバッファされる。ＰＤＵは、バッファ１１４から無線インターフェース１０４を介してユーザの装置１０６に順に伝送される。
【００２４】
ＨＳＤＰＡの場合、ＭＡＣ−ｄ  ＰＤＵ１２２はＲＮＣ１００からノードＢ１０２に転送される。いくつかのＭＡＣ−ｄ  ＰＤＵが連結されて、１つの無線フレーム１２４でユーザの装置１０６に伝送されるＭＡＣ−ｈｓ  ＰＤＵを形成する。
【００２５】
無線フレーム１２４がユーザの装置１０６に正常に伝送された後、図２で示したように、ノードＢ１０２の同期点１２６を位置Ａから位置Ｂに移すことができる。バッファ１１４内でＡとＢの間に格納されたＭＡＣ−ｄ  ＰＤＵ１２２は、ＵＥ１０６に正常に転送されたために消去される。バッファのサイズに応じて、より高いまたは低い頻度でこの操作を行うことができることを留意されたい。換言すれば、通常は、無線フレーム１２４が正常に伝送されるたびに、同期点の位置を更新する必要はなく、より長い間隔をあけてよい。
【００２６】
ノードＢ１０２は、バッファ１０８に関して対応する更新操作を行う、すなわちバッファ１０８の同期点１２８を位置Ａから位置Ｂに移動させるために、制御メッセージ１３０をＲＮＣ１００に送信する。新しい同期点で開始され、バッファ１１４に格納されたいくつかのＭＡＣ−ｄ  ＰＤＵ１２２が連結されて、連続する無線フレーム１２４で伝送すべき次のＭＡＣ−ｈｓ  ＰＤＵが形成される。ユーザデータ１２０が全て、ノードＢ１０２の専用バッファ１１４を介してユーザの装置１０６に伝送されるまでこのプロセスが継続される。
【００２７】
図３は、バッファ１１４からＵＥ１０６へのＭＡＣ−ｄ  ＰＤＵの伝送が失敗した場合の図２のブロック図を示す。たとえば、悪い電波状態または他の理由で、バッファ１１４のＭＡＣ−ｄ  ＰＤＵの伝送が不可能となったことが制御プログラム１１８によって決定された場合、以下のことが起こる。同期点１２６は、位置Ａから、ＭＡＣ−ｄ  ＰＤＵがＵＥ１０６に正常に伝送されたバッファ１１４の部分１３２に対応する位置Ｃに移動される。悪い電波状態または他の理由で、バッファ１１４の部分１３４に格納されたＭＡＣ−ｄ  ＰＤＵは、無線インターフェース１０４を介してＵＥ１０６に伝送することができない。
【００２８】
その結果、制御プログラム１１８は制御メッセージ１３６をＲＮＣ１００に送信する。制御メッセージ１３６は、ＲＮＣ１００が同期化の更新を実行する、すなわち同期点１２８を位置Ａから位置Ｃに移動できるようにする情報を含む。制御メッセージ１３６はさらに、位置Ｃから前のデータを再び転送する必要があることを示す追加の「停止ビット」または他の適したフラグを含む。更に、制御メッセージ１３６は、ＲＮＣ１００からノードＢ１０２に再び転送すべきセグメントサイズ、すなわちＭＡＣ−ｄ  ＰＤＵのサイズを小さくしなければならないことを示すこともできる。さらに、制御メッセージ１３６は、ノードＢの実際のデータ容量を示すことができる。
【００２９】
受信されたセグメントサイズのＭＡＣ−ｄ  ＰＤＵが、ＲＮＣ１００から受信された場合、バッファ１１４の部分１３４は重ね書きされる。
【００３０】
図４は、バッファ１０８を制御する代替方法を示す。バッファ１０８は、ＲＮＣ１００からノードＢ１０２にすでに転送されたデータを含む部分１３８を有する。ＲＮＣ１００が制御メッセージ１３６を受信した場合、ノードＢ１０２からＵＥ１０６にすでに正常に伝送されたデータの部分１４０は、ＲＮＣ１００に通信される。同期点はこのようにして更新される、すなわち同期点１２８は位置Ａから位置Ｃに移動する。位置Ｃと使用されたバッファサイズの間のバッファ１０８のデータは、再び転送される。悪い電波状態のために転送が再開された場合、それに応じてデータパケットのサイズを小さくする。データの転送の再開を、以下で「ロールバック」と呼ぶ。
【００３１】
あるいは代わりに、同期点１２８を部分１３８の末端部にある位置Ｂに移動することによって同期化を実行する。この位置は、制御メッセージ１３６に含まれる同期化オフセットによってノードＢ１０２からＲＮＣ１００に通信される。ロールバック操作の開始点、すなわちデータパケットの転送の再開は、ロールバックオフセットを制御メッセージ１３６に含むことによって通信される。ロールバックオフセットは、位置ＡとＣの間のオフセットである。
【００３２】
図５は、ノードＢ１０２に転送するためのデータパケットがＲＮＣ１００内で使用可能な場合、ＲＮＣ１００がノードＢ１０２に容量要求を出す場合の実施形態を示す。ノードＢ１０２は、データパケットを受信するためのノードＢで使用可能な容量をＲＮＣ１００に通知するために、ＲＮＣ１００への容量割り当てメッセージに応答する。さらに、ノードＢ１０２は、前に受信されたデータパケットの転送の再開、および／またはバッファの同期化を要求するために、ロールバック要求をＲＮＣ１００に送信することができる。
【００３３】
図６は、ＵＥ、ノードＢ、およびＲＮＣを含む対応するオブジェクト関係の図を示す。
【００３４】
ＵＥは、チャネル品質インジケータ（ＣＱＩ、ｃｈａｎｎｅｌ  ｑｕａｌｉｔｙ  ｉｎｄｉｃａｔｏｒ）をノードＢに送信する。ノードＢは、このように実際の電波状態に照らしてＵＥに送信することができる最大データパケットサイズについての決定を行うことができる。ノードＢは、ＲＮＣから容量要求を受信し、ＲＮＣへの容量割り当てメッセージで応答する。ノードＢは、任意選択として、ロールバック情報をＲＮＣに送信する。このロールバック情報によって、ノードＢからユーザの装置ＵＥにすでに伝送されたデータパケットがあれば、それを捨てるために、ノードＢのバッファおよびＲＮＣのバッファの同期点の位置が更新される。
【００３５】
次に、ノードＢは、ＲＮＣからの複数のＭＡＣ−ｄ  ＰＤＵを含むデータフレームＡを受信する。ノードＢからＵＥにデータフレームＡが正常に伝送された後、ノードＢは、他の容量割り当てメッセージをＲＮＣに送信する。それに応答して、ＲＮＣは、データフレームＢを送信する。ノードＢからＵＥへのデータフレームＢの伝送は、悪い電波状態のために失敗し、または不可能である。これに応答して、ノードＢはＲＮＣにロールバック情報を送信する。この場合、ロールバック情報には、データパケットサイズを小さくしたデータフレームＢの転送を再開する必要があることを示すために、停止ビットが含まれている。
【００３６】
ノードＢは、更新されたＣＱＩをＵＥから受信する。これに基づき、ノードＢは、データパケットの新しいセグメントサイズを決定し、求められるセグメントサイズおよびＲＮＣへの容量割り当ての指示を含む対応するロールバックメッセージを送信する。これに応答して、ＲＮＣは、セグメントサイズを小さくしたデータフレームＢ’を送信する。データフレームＢ’は、セグメントサイズが小さくなったため、ノードＢからＵＥに正常に伝送することができる。
【００３７】
図７は、ハンドオーバ状況を示しており、ＵＥ１０６は、ノードＢ１０２のカバレッジ外に、ノードＢ１４２のカバレッジに移動するところである。ノードＢ１０２とノードＢ１４２は両方、同じＲＮＣ１００に連結されている。
【００３８】
図８は、対応するエンティティ関係を示す図である。図８のオブジェクト関係の図は、悪い電波状態のためではなく、基地局のハンドオーバのために、データフレームＢをノードＢからユーザの装置ＵＥに伝送することができないので、図６とは異なっている。その結果、それに向けてＵＥ１０６が移動した目標のノードＢ１４２は、更新されたＣＱＩを受信する。目標のノードＢ１４２も、元のノードＢ１０２ではなくＲＮＣ１００にロールバックメッセージを送信する。これに応答してＲＮＣ１００は、元のノードＢ１０２ではなく目標のノードＢ１４２へのデータフレームＢ’の転送を実行する。
【００３９】
図９は、ＵＥ１０６が元のＲＮＣ１００のカバレッジ外に移動する場合のＲＮＣのハンドオーバを示す。ＵＥ１０６は、目標のＲＮＣ１４６に結合されたノードＢ１４４に移動する。
【００４０】
図１０は、対応するオブジェクト関係を示す図である。図８で示したプロセスに加えて、元のＲＮＣ１００は、ＲＮＣのハンドオーバ手順により、目標のＲＮＣ１４６からメッセージを受信する。これに応答して、元のＲＮＣ１００は、同期点で開始するバッファの内容を目標のＲＮＣ１４６に送信する。目標のＲＮＣは、データフレームＢ’を目標のノードＢ１４４に転送する。そこからデータフレームＢ’をＵＥ１０６に伝送することができる。
【図面の簡単な説明】
【００４１】
【図１】本発明の方法の好ましい実施形態を示す流れ図である。
【図２】ノードＢに結合された無線ネットワークコントローラの実施形態を示すブロック図である。
【図３】電波状態が悪化した場合の図２のブロック図である。
【図４】無線ネットワークコントローラバッファを制御する方法を示す図である。
【図５】無線ネットワークコントローラとノードＢとユーザの装置の間の通信を示すブロック図である。
【図６】図５のシステムのオブジェクト関係を示す図である。
【図７】ノードＢのハンドオーバを示すブロック図である。
【図８】図７のシステムのオブジェクト関係を示す図である。
【図９】無線ネットワークコントローラのハンドオーバを示すブロック図である。
【図１０】図９のシステムを示すオブジェクト関係の図である。
【符号の説明】
【００４２】
１００、１４６  無線ネットワークコントローラ（ＲＮＣ）
１０２、１４２、１４４  ノードＢ
１０４  無線インターフェース
１０６  ユーザの装置（ＵＥ）
１０８、１１４  バッファ
１１０、１１６  プロセッサ
１１２、１１８  制御プログラム
１２０  ユーザデータ
１２２  プロトコルデータユニット（ＰＤＵ）
１２４  無線フレーム
１２６、１２８、  同期点
１３０、１３６  制御メッセージ
１３２、１３４、１３８、１４０  部分
【図１】
2005130482.tif 000003
【図２】
2005130482.tif 000004
【図３】
2005130482.tif 000005
【図４】
2005130482.tif 000006
【図５】
2005130482.tif 000007
【図６】
2005130482.tif 000008
【図７】
2005130482.tif 000009
【図８】
2005130482.tif 000010
【図９】
2005130482.tif 000011
【図１０】
2005130482.tif 000012
【外国語明細書】
2005130482.tif 000013
2005130482.tif 000014
2005130482.tif 000015
2005130482.tif 000016
2005130482.tif 000017
2005130482.tif 000018
2005130482.tif 000019
2005130482.tif 000020
2005130482.tif 000021
2005130482.tif 000022
2005130482.tif 000023
2005130482.tif 000024
2005130482.tif 000025
2005130482.tif 000026
2005130482.tif 000027
2005130482.tif 000028
2005130482.tif 000029
2005130482.tif 000030
2005130482.tif 000031
2005130482.tif 000032
2005130482.tif 000033
2005130482.tif 000034
2005130482.tif 000035